【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
物品であって、該物品は、第１の位置状態と第２の位置状態との間で移行可能であり、前記第２の位置状態に付勢され、該物品は、所定条件に合致するまで保持手段によって前記第１の位置状態に保持されており、前記所定条件に合致すると、付勢手段は付勢力を働かせ、該物品を前記第１の位置状態から前記第２の位置状態に移行させる、物品において、
前記所定条件は、該物品の少なくとも１つの面に置かれた少なくとも１つの形成物が第１の位置状態から第２の位置状態に移行すると合致し、それによって前記保持手段を解除し、前記第１の位置状態から前記第２の位置状態への前記物品の移行を可能にすることを特徴とする、
物品。
【請求項２】
前記少なくとも１つの形成物は、前記物品の少なくとも１つの面から外側に延在するように形成される、請求項１に記載の物品。
【請求項３】
前記少なくとも１つの形成物は、前記物品の実質的に内側に促されることで、前記保持手段を解除するように設けられる、請求項１に記載の物品。
【請求項４】
前記少なくとも１つの形成物は、前記物品の内側に促されることによって第１の位置状態から第２の位置状態に移行可能な複数の形成物の１つである、請求項１に記載の物品。
【請求項５】
前記物品の内側に促されたとき、前記形成物のうち１つのみは前記保持手段の解除が可能であり、前記形成物の少なくともいくつかの移行は前記保持手段に影響を及ぼさない、請求項４に記載の物品。
【請求項６】
前記物品に置かれた少なくとも１つの更なる形成物は、前記物品の内側に促され得ないように実質的に硬い形成物として設けられる、請求項１に記載の物品。
【請求項７】
前記物品の内側に促されてもよい少なくとも１つの形成物と、前記物品の内側に促され得ないように実質的に硬い形成物として設けられる少なくとも１つの形成物と、を含む、請求項１に記載の物品。
【請求項８】
前記所定条件は、第２の物品が第１の物品と接触する又は前記第１の物品の所定範囲内に位置することによって作成される、請求項１に記載の物品。
【請求項９】
前記少なくとも１つの形成物と前記保持手段は、前記物品の実質的に同じ面に関連付けられる、請求項１に記載の物品。
【請求項１０】
前記保持手段は前記保持手段が関連付けられる前記面を、隣接する面に接続することで前記物品を前記第１の位置状態に保持する、請求項９に記載の物品。
【請求項１１】
前記物品の２つ以上の面はヒンジ連結されており、前記保持手段は２つの面の隣接する自由縁部を保持することで前記物品を前記第１の位置状態に保持する、請求項１に記載の物品。
【請求項１２】
取外し可能な本体は、前記物品の少なくとも１つの面と関連付けられて設けられる、請求項１に記載の物品。
【請求項１３】
前記少なくとも１つの形成物は前記取外し可能な本体とともに置かれる、請求項１２に記載の物品。
【請求項１４】
前記本体は、前記物品の前記面のうちの１つの開口内に取り外し可能に置かれる、請求項１２に記載の物品。
【請求項１５】
前記取外し可能な本体は、前記物品とともに置かれたとき、前記取外し可能な本体が置かれた物品の前記面の少なくとも一部を形成する、請求項１２に記載の物品。
【請求項１６】
少なくとも１つの磁石は、前記物品と関連付けられて設けられる、請求項１に記載の物品。
【請求項１７】
前記少なくとも１つの磁石は、前記物品を実質的に第２の物品と整列させるために設けられる、請求項１６に記載の物品。
【請求項１８】
リセット手段を更に含む、請求項１に記載の物品。
【請求項１９】
前記リセット手段は１つ以上のひも又はより糸部材等を含む、請求項１８に記載の物品。
【請求項２０】
前記１つ以上のひも又はより糸部材は、前記物品に設けられた２つ以上の面又はパネルを接続するために設けられる、請求項１９に記載の物品。
【請求項２１】
ユーザによって作動されると、前記リセット手段は、前記物品を前記第２の位置状態から前記第１の位置状態に少なくとも一部戻すように設けられる、請求項２０に記載の物品。
【請求項２２】
物品群であって、第１の位置状態と第２の位置状態との間で移行可能であり、前記第２の位置状態に付勢される少なくとも２つの物品を含み、該物品は、所定条件に合致するまで保持手段によって前記物品のそれぞれの第１の位置状態に保持され、前記物品の少なくとも１つに関する前記所定条件は、前記物品が接触する又は既定の距離内にあるときに合致し、この時点で、前記少なくとも２つの物品の第１の物品は、付勢手段の影響下で前記第１の位置状態から前記第２の位置状態に移行する、物品群において、
前記所定条件は、前記少なくとも２つの物品の前記第１の物品の少なくとも１つの面に置かれた少なくとも１つの形成物が第１の位置状態から第２の位置状態に移行すると合致し、それによって前記保持手段を解除し、前記第１の位置状態から前記第２の位置状態への前記物品の移行を可能にすることを特徴とする、
物品群。
【請求項２３】
前記少なくとも１つの形成物は、前記少なくとも２つの物品のうちの第２の物品の対応する形成物と接触すると実質的に内側に促されるように配置される、請求項２２に記載の物品群。
【請求項２４】
前記第２の物品に置かれた前記対応する形成物は、前記対応する形成物が置かれた前記物品の内側に促され得ないように実質的に硬い形成物として設けられるが、前記第１の物品に関する前記所定条件に合致するように、前記第１の物品の第１の形成物は内側に促すように配置される、請求項２３に記載の物品群。
【請求項２５】
各物品は、前記物品の内側に促されてもよい少なくとも１つの形成物と、前記物品の内側に促され得ないように実質的に硬い形成物として設けられる少なくとも１つの形成物と、を含む、請求項２２に記載の物品群。
【請求項２６】
各物品は、典型的には、前記物品の内側に促されることによって第１の位置状態から第２の位置状態に移行されてもよい複数の形成物を含む、請求項２２に記載の物品群。
【請求項２７】
前記少なくとも２つの物品のうちの第１の物品における前記所定条件に合致するとき、前記第２の位置状態は、前記第１の物品が移行し、典型的には反転し、前記少なくとも２つの物品のうちの第２の物品を少なくとも部分的に巻き込む、閉じ込める及び／又は捕らえるためのものである、請求項２２に記載の物品群。
【請求項２８】
付勢手段は、前記少なくとも２つの物品を前記少なくとも２つの物品のそれぞれの第２の位置状態に付勢するために前記少なくとも２つの物品のそれぞれに設けられる、請求項２２に記載の物品群。
【請求項２９】
第１の物品の又は前記第１の物品と関連付けられた第１の形成物は、第２の物品の又は前記第２の物品と関連付けられた第２の、実質的に硬い形成物に対応する、請求項２２に記載の物品群。
【請求項３０】
前記第１の物品の又は前記第１の物品と関連付けられた前記第１の形成物は、前記第２の物品の又は前記第２の物品と関連付けられた前記第２の実質的に硬い形成物と接触すると、前記第１の形成物は前記第１の物品の内側に促され、前記第１の物品に関する前記所定条件に合致する、請求項２９に記載の物品群。
【請求項３１】
取外し可能な本体は、前記物品のそれぞれの少なくとも１つの面と関連付けられて設けられ、前記少なくとも１つの形成物は前記取外し可能な本体とともに置かれる、請求項２２に記載の物品群。
【請求項３２】
少なくとも１つの磁石は、各物品と関連付けられて設けられ、前記物品の面に置かれる、請求項２２に記載の物品群。
【請求項３３】
前記少なくとも１つの磁石は、前記形成物が関連付けられた前記物品の同じ面に置かれる又は関連付けられる、請求項３２に記載の物品群。
【請求項３４】
前記少なくとも１つの磁石は、２つの物品を互いに整列させるように配置される、請求項３２に記載の物品群。
【請求項３５】
少なくとも２つの磁石は、前記第１の物品が第２の物品に置かれた対応する磁石で整列するように配置されるように、前記物品の同じ面の実質的に反対側に設けられる、請求項２２に記載の物品群。
【請求項３６】
前記物品はリセット手段を更に含む、請求項２２に記載の物品群。
【請求項３７】
前記リセット手段は１つ以上のひも又はより糸部材等を含む、請求項３６に記載の物品群。
【請求項３８】
前記１つ以上のひも又はより糸部材は、前記物品に設けられた２つ以上の面又はパネルを接続するために設けられる、請求項３７に記載の物品群。
【請求項３９】
ユーザによって作動されると、前記リセット手段は、物品を前記第２の位置状態から前記第１の位置状態に少なくとも一部戻すように設けられる、請求項３６に記載の物品群。
【請求項４０】
少なくとも２つの物品間の相互作用を生じさせる方法であって、それぞれの第１の位置状態にあり、前記第１の位置状態とそれぞれの第２の位置状態との間で移行可能な少なくとも２つの物品を設けるステップと、前記少なくとも２つの物品のいずれか若しくは両方に関する所定条件に合致するまで前記少なくとも２つの物品を互いに近づけるステップであって、物品において前記所定条件に合致すると、付勢手段は付勢力を働かせ、その物品を前記第１の位置状態から前記第２の位置状態に移行させる、ステップと、を含む、方法において、
前記所定条件は、その物品の少なくとも１つの面に置かれた少なくとも１つの形成物が、他方の物品の対応する形成物によって第１の位置状態から第２の位置状態に移行すると合致し、それによって保持手段を解除し、前記第１の位置状態から前記第２の位置状態へのその物品の移行を可能にすることを特徴とする、
方法。